(57)【要約】【目的】放送時間が重複する複数の番組を視聴予約して、ユーザの利便に供することができるディジタル放送受信装置を提供する。【構成】ディジタル放送受信装置３０は、ユーザによって指定された番組をその放送時に自動受信する視聴予約機能を備える。この視聴予約機能においては、放送時間が重複する複数の番組について視聴予約を受け付けると共に、メモリ１４に格納されているユーザ設定に従っていずれかの番組を優先的に表示する。また、視聴予約した複数番組の重複放送時間帯にリモコン送信機１０のＵＰ／ＤＯＷＮキーが操作されたときには当該複数番組の範囲で番組表示切り替え処理を行うようになっている。【選択図】　　　図１
2004048312.tif 000002
【特許請求の範囲】
【請求項１】
ユーザによって指定された番組をその放送時に自動受信する視聴予約機能を備えたディジタル放送受信装置において、放送時間が重複する複数の番組について視聴予約を受け付けると共に設定に従っていずれかの番組を優先的に表示するように構成されたことを特徴とするディジタル放送受信装置。
【請求項２】
請求項１に記載のディジタル放送受信装置において、視聴予約した複数番組の重複放送時間帯に所定キーが操作されたときには当該複数番組の範囲で番組表示切り替え処理が行われるように構成されたことを特徴とするディジタル放送受信装置。
【請求項３】
請求項２に記載のディジタル放送受信装置において、番組編成の変更によって重複放送時間帯に変化が生じた場合にも、この変化した重複放送時間帯に所定キーが操作されたときには当該複数番組の範囲で番組表示切り替え処理が行われるように構成されたことを特徴とするディジタル放送受信装置。
【請求項４】
ユーザによって指定された番組をその放送時に自動受信する視聴予約機能を備えたディジタル放送受信装置において、番組編成の変更によって予約番組の放送時間が重複した場合に、かかる複数番組の重複放送時間帯では設定に従っていずれかの番組を優先的に表示すると共に所定キーが操作されたときには当該複数番組の範囲で番組表示切り替え処理が行われるように構成されたことを特徴とするディジタル放送受信装置。
【請求項５】
請求項１乃至請求項４のいずれかに記載のディジタル放送受信装置において、視聴予約された他の番組と放送時間が重複する視聴予約番組については、視聴予約番組一覧表の該当番組の欄に重複を意味する表記を行うようにしたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力することができる。
【０００３】
このようなディジタル放送では、従来のアナログ放送と同様に映像や音声を送信することに加え、番組情報も送信している。この番組情報は、番組名、番組開始時刻、番組継続時刻、番組内容などの各種情報を含んでおり、受信装置側ではＯＳＤ（オンスクリーンディスプレイ）機能を用いた電子番組ガイド（Ｅｌｅｃｔｒｏｎｉｃ　Ｐｒｏｇｒａｍ　Ｇｕｉｄｅ）画面表示によって、多チャンネル放送のなかからユーザが望む番組を選択することができる。
【０００４】
【発明が解決しようとする課題】
従来より、ディジタル放送受信装置には視聴予約機能が備えられており、放送予定されている番組を例えば前記電子番組ガイド上で選択して視聴予約を行うことができる。ユーザが番組の視聴予約をした場合、番組開始時刻になると、自動的に当該番組を受信するように選局処理が実行される。そして、予約番組の放送時間内においてはチャンネルは固定されることになる。
【０００５】
しかしながら、従来の視聴予約機能においては、放送時間帯が重複する番組については視聴予約はできないようになっている。例えば、ユーザがドラマＡ（３月２日　１３時〜１４時　１０２ｃｈ）とミュージック（３月２日　１３時３０分〜１５時　１６１ｃｈ）との両方について視聴予約したい場合でも、ドラマＡの視聴予約をした後には、前記ミュージックを視聴予約することはできない。
【０００６】
また、放送時間が重複しない複数の番組が視聴予約されている場合でも、一方の番組の放送時間が延長されたり放送開始時刻が変更されるなどして、結果的に他の予約番組との間で放送時間が重複してしまうことがある。このような事態を考慮し、従来の視聴予約機能では、「時間変更で中止」、「時間変更に追従」といった設定が設けられている。例えば、野球（３月５日　１６時〜１８時　１００ｃｈ）とニュース（３月５日　１８時〜１９時　１０２ｈ）が視聴予約されているが、野球の放送時間が１８時３０分まで延長された場合、「時間変更で中止」と設定されていれば、当初の予約通りに１８時からは１０２ｃｈのニュースを受信するようにチャンネルが変更される。一方、「時間変更に追従」と設定されている場合には、放送終了の１８時３０分までは１００ｃｈの野球放送を受信し、それ以降は１０２ｃｈのニュースに切り替えることになる。ただし、「時間変更で中止」、「時間変更に追従」のいずれを設定していた場合でも、重複して放送される時間帯（上記例では１８時から１８時３０分）では、いずれか一方の番組だけを受信するようチャンネルは固定されてしまう。
【０００７】
この発明は、上記の事情に鑑み、放送時間が重複する複数の番組を視聴予約できることとし、また、番組編成変更等で放送時間が重複することとなった複数の視聴予約番組を視聴できることとしてユーザの利便に供することができるディジタル放送受信装置を提供することを目的とする。
【０００８】
【課題を解決するための手段】
この発明のディジタル放送受信装置は、上記の課題を解決するために、ユーザによって指定された番組をその放送時に自動受信する視聴予約機能を備えたディジタル放送受信装置において、放送時間が重複する複数の番組について視聴予約を受け付けると共に設定に従っていずれかの番組を優先的に表示するように構成されたことを特徴とする。
【０００９】
上記の構成においては、視聴したい番組の放送時間が重複する場合であっても視聴予約をしておくことが許容され、設定に従って一方の番組が優先的に表示されることになる。
【００１０】
視聴予約した複数番組の重複放送時間帯に所定キーが操作されたときには当該複数番組の範囲で番組表示切り替え処理が行われるように構成されているのがよい。また、番組編成の変更によって重複放送時間帯に変化が生じた場合にも、この変化した重複放送時間帯に所定キーが操作されたときには当該複数番組の範囲で番組表示切り替え処理が行われるように構成されているのがよい。かかる構成であれば、ユーザは所定キーを操作して放送時間が重複する予約番組内において番組を切り替えて視聴することができる。
【００１１】
また、この発明のディジタル放送受信装置は、ユーザによって指定された番組をその放送時に自動受信する視聴予約機能を備えたディジタル放送受信装置において、番組編成の変更によって予約番組の放送時間が重複した場合に、かかる複数番組の重複放送時間帯では設定に従っていずれかの番組を優先的に表示すると共に所定キーが操作されたときには当該複数番組の範囲で番組表示切り替え処理が行われるように構成されたことを特徴とする。かかる構成は、放送時間帯が重なる複数番組の視聴予約が行えることを構成要件とするものではなく、番組編成の変更によって結果的に重複放送時間帯が発生した場合に、この重複放送時間帯においては、ユーザの所定キー操作に対して放送時間が重複することとなった予約番組内において番組が切り替えられて表示される。
【００１２】
また、これらディジタル放送受信装置において、視聴予約された他の番組と放送時間が重複する視聴予約番組については、視聴予約番組一覧表の該当番組の欄に重複を意味する表記を行うのがよい。
【００１３】
【発明の実施の形態】
以下、この発明の実施形態を図１乃至図３に基づいて説明するが、ここではユーザがＢＳ（Ｂｒｏａｄｃａｓｔｉｎｇ　Ｓａｔｅｌｌｉｔｅ）ディジタル放送を視聴する場合を例示している。図１はこの実施形態のディジタル放送受信装置３０を示したブロック図であり、図２は予約設定画面を例示した説明図であり、図３は予約番組一覧画面を例示した説明図である。
【００１４】
図１において、アンテナ１は、屋外において所定の方向に向けて配置されており、ＢＳから送られてくるディジタル放送波を受信する。このアンテナ１は一般に周波数変換器を備え、受信／周波数変換した信号をチューナ２に与える。
【００１５】
チューナ２は、受信した高周波ディジタル変調信号のうちから特定周波数を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポートストリームを出力する。
【００１６】
デマルチプレクサ（ＤＥＭＵＸ）３は、チューナ２から出力されるトランスポートストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）などの付属情報に分離する。デマルチプレクサ３は、ビデオストリームとオーディオストリームをＡＶデコーダ４に供給し、ＰＳＩ／ＳＩ等をＣＰＵ１３に供給する。なお、前述のごとくトランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１７】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１８】
映像処理回路５は、ＡＶデコーダ４から映像データを受け取ってＤ／Ａ変換を行い、例えばコンポジット映像信号に変換する。音声信号処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００１９】
映像出力回路７及び音声出力回路８は出力抵抗や増幅器等を備えて成る。ＡＶ出力端子９には出力部（左右音声出力端子等や映像出力端子等のセット）が設けられており、この出力部には、映像／音声コード１７によって受像管１６ａ及びスピーカ１６ｂを備えるモニタ１６が接続される。
【００２０】
ＯＳＤ回路１２は、ＣＰＵ１３から出力指示された文字情報や色情報に基づく映像データを生成して加算器２０に出力する。加算器２０は前記映像データをＡＶデコーダ４から出力される受信映像データに組み込む処理を行う。
【００２１】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２２】
メモリ１４には、ＥＰＧ表示に利用される番組情報（番組名、番組詳細、番組開始時間、番組継続時間等）、ユーザによる設定情報、視聴予約された番組に関する情報などが格納される。
【００２３】
ＣＰＵ１３は、このディジタル放送受信装置３０における全体制御を行うものであるが、特にこの発明にかかる制御として以下に説明する番組予約制御を実行するようになっている。
【００２４】
ユーザがリモコン送信機１０を操作してメニュー画面（図示せず）から「予約設定」の項目を選択すると、ＣＰＵ１３はメモリ１４から設定内容を読み出しＯＳＤ回路１２を制御して図２（ａ）に示す予約設定画面を表示させる。この画面左には、「時間変更予約設定」、「重複予約設定」、「重複予約優先度設定」の項目が設けられている。また、画面右には、それぞれの項目についての現在の設定内容である「時間変更で中止」、「予約重複を禁止する」、「後番組優先」が表示されている。
【００２５】
図２（ａ）の画面上でユーザがリモコン送信機１０の上下キーを操作して「時間変更予約設定」の項目を選択し（色変わりさせ）、決定キーを押下すると、ＣＰＵ１３の制御により、図２（ｂ）に示すように、「時間変更予約設定」における選択項目が表示される。この「時間変更予約設定」には、「時間変更で中止」、「時間変更に追従」、「重複予約設定に従う」といった選択項目が設けられている。この画面において、ユーザがリモコン送信機１０の下キーを２回押下して「重複予約設定に従う」を色変わりさせ、決定キーを押下した場合には、次に説明する「重複予約設定」の設定内容に従うことになる。
【００２６】
「重複予約設定」の設定内容を変更するには、画面左の「重複予約設定」を選択して決定キーを押下する。図２（ｃ）は、このとき表示される「重複予約設定」の設定画面である。ここで、ユーザは「重複予約を禁止する」及び「重複予約を許可する」の一方を選択して決定することができる。ユーザが「重複予約を許可する」を選択した場合には、受信装置３０は「重複予約優先度設定」の設定内容に従って番組を表示することになる。
【００２７】
図２（ｄ）は、「重複予約優先度設定」の設定画面を例示している。「重複予約優先度設定」には、「前番組優先」、「後番組優先」、「視聴時に決定」といった選択項目が設けられている。放送時間が重複する２つの番組が視聴予約されている場合、予約実行時において、「前番組優先」であれば放送開始時間が早い側の番組、「後番組優先」であれば放送開始時間が遅い側の番組、「視聴時に決定」であればユーザが視聴時に選択したいずれかの番組が優先して受信されることになる。なお、番組開始時刻が同時刻である複数の番組を視聴予約した場合においては、前述の「視聴時に決定」の処理を行うようにしてもよいし、先に予約された番組を優先してもよいし、チャンネル番号の数値が小さいものを優先するといった処理を行ってもよいものである。
【００２８】
また、ＣＰＵ１３はメモリ１４から視聴予約された番組に関する情報を読み出し、ＯＳＤ回路１２を制御して、視聴予約を行った番組の一覧（予約番組一覧画面）を表示することができる。図３は、予約番組一覧画面を例示した説明図である。この画面は、例えばメニュー画面から「予約番組一覧画面」の項目を選択することで表示することができる。予約番組一覧画面では、視聴予約が行われて実行待ち状態である番組には「予約」を表示し、視聴予約が行われて実行待ち状態である番組のうち放送時間が重複するものには「重複予約」を表示している。これにより、ユーザは３月２日のドラマＡ第２話とミュージックが重複予約されていることが確認できる。また、番組列記順序は放送日時の早いもの順としており、予約実行が完了された番組には「済」を表示するようにしている。なお、「予約」といった文字表示に限らず、絵文字表示（アイコン表示）としてもよい。
【００２９】
以下に、図３に示した予約番組一覧画面における３月２日を例にして受信装置３０の視聴予約実行処理を説明していく。受信装置３０は、ドラマＡ第２話の放送開始時刻である１３時になると、テレビＯＦＦ（待機状態）である場合にはテレビＯＮを実行し、チューナ２に１０２ｃｈを選局させてドラマＡ第２話の受信を行う。そして、１３時３０分から１４時までの間は視聴予約が重複している時間帯であるので、ＣＰＵ１３は「重複予約優先度設定」に従って受信する番組を選択する。ここで、ユーザが「視聴時に決定」と設定していた場合は、ＣＰＵ１３は予約が重複する時間の数分前（例えば１３時２９分ごろ）に「視聴予約が重複しています。どちらを優先しますか。」といったメッセージを画面に表示して、「前番組／後番組」をユーザに選択させることになる。ユーザが「前番組」を選択した場合には、ＣＰＵ１３はドラマＡの１０２ｃｈの選局状態を維持し、１４時を起点にミュージックの１６１ｃｈを選局することになる。「後番組」を選択した場合には、１３時３０分を起点にミュージックの１６１ｃｈを選局することになる。
【００３０】
視聴予約が重複する１３時３０分から１４時までの重複時間帯においては、二つの番組の範囲でチャンネル変更を可能にしている。例えば、リモコン送信機１０に設けられたＵＰ／ＤＯＷＮキーを押下することにより、ドラマＡとミュージックを切り替えていずれかを視聴することができる。これにより、例えばコマーシャル中にＵＰ／ＤＯＷＮキーを押下してミュージックにチャンネルを切り替えて視聴したり、また、ＵＰ／ＤＯＷＮキーを押下してドラマＡにチャンネルを戻すといったことができる。
【００３１】
また、放送時間が重複しない複数の番組を視聴予約した場合であっても、例えば一方の番組の放送時間が延長されたり放送時間が変更されるなどして、結果的に予約番組の放送時間が重複してしまうことがある。例えば、野球（１６時〜１８時　１００ｃｈ）とニュース（１８時〜１９時　１０２ｈ）の視聴予約がなされているときに野球の放送時間が１８時３０分まで延長された場合、「重複予約を許可する」に設定されていれば、「重複予約優先度設定」に従って番組を選択して映像表示することになる。例えば、「重複予約優先度設定」が「前番組優先」であれば、番組終了まで１００ｃｈの野球を映像表示しておき、野球放送終了後の１８時３０分から１０２ｃｈのニュースを受信することになる。また、１８時から１８時３０分までの重複した時間帯では、ＵＰ／ＤＯＷＮキーの操作により二つの番組を切り替えることができる。
【００３２】
なお、上述した例では一つのチューナを備える構成について説明したが、例えば、ＢＳディジタルチューナと地上波ディジタルチューナの二つを備え、各々の放送に対して番組予約が行え、且つ、番組放送時間が重複する複数の視聴予約を受け付けることとする構成とし、上述したような「重複予約優先度設定」に従った番組表示処理やＵＰ／ＤＯＷＮキーによる番組表示切り替え処理を行うようにしてもよいものである。番組表示切り替え処理では、チューナにおいてチャンネル切り替えを行うのではなく、各チューナからの映像のどちらを出力するかを切り替える処理となる。
【００３３】
また、「視聴時に決定」の設定項目を設けたが、「重複判明時に決定」の設定項目を設けることとしてもよい。すなわち、番組予約時、予約した番組が既に予約している番組の放送時間と重なったときに、「視聴予約が重複しています。どちらを優先しますか。」といったメッセージを画面に表示して、「前番組／後番組」をユーザに選択させるようにしてもよい。また、図３の予約番組一覧画面では放送時間が重複するものには「重複予約」を表示することとしたが、この一覧表示時点で優先番組が決定されているときには、「優先」といった表記を優先番組の欄に表記するようにしてもよいものである。
【００３４】
【発明の効果】
以上説明したように、この発明のディジタル放送受信装置であれば、放送時間が重複する複数の番組を視聴予約することを許容してユーザの利便に供することができるという効果を奏する。
【図面の簡単な説明】
【図１　】この実施形態のディジタル放送受信装置を示したブロック図である。
【図２】予約設定画面を例示した説明図である。
【図３】予約番組一覧画面を例示した説明図である。
【符号の説明】
１　　アンテナ
２　　チューナ
３　　デマルチプレクサ（ＤＥＭＵＸ）
４　　ＡＶデコーダ
１２　ＯＳＤ回路
１３　ＣＰＵ
１４　メモリ
【図１】
2004048312.tif 000003
【図２】
2004048312.tif 000004
【図３】
2004048312.tif 000005